(57)【特許請求の範囲】
【請求項１】
複数のスイッチを並べて設置可能なスイッチ設置領域を有するスイッチプレートの前面側を覆うように取り付けられるスイッチ保護カバーにおいて、
前記スイッチ設置領域に対応して一括して開口する開口部が形成されたカバー本体と、
前記開口部に架設された状態でスライドできるよう前記カバー本体に支持されるとともに、当該スライド方向に沿う複数のセット位置で当該カバー本体に係止可能なスライドプレートと、
を備えることを特徴とするスイッチ保護カバー。
【請求項２】
前記カバー本体に、前記スライドプレートの相互に対向する一対の側縁部を摺動可能に受け容れる少なくとも一対のガイド溝を形成し、
前記セット位置のそれぞれで前記側縁部と前記ガイド溝とを係止する係止機構を設けたことを特徴とする請求項１に記載のスイッチ保護カバー。
【請求項３】
前記係止機構は、前記側縁部およびガイド溝のうち一方に設けた凸部と、他方に形成した凹部とを有し、
前記スライドプレートに、前記側縁部の側端縁に沿う有限長のスリットを設けることで架橋部を形成し、
前記凸部または凹部を前記架橋部に設けたことを特徴とする請求項２に記載のスイッチ保護カバー。
【請求項４】
前記係止機構は、前記側縁部およびガイド溝のうち一方に設けた凸部と、他方に形成した凹部とを有し、
前記ガイド溝には、前記開口部をスライド方向に６分割した領域のスライド方向の中央となる位置に、前記凸部または凹部を設け、
一つの前記カバー本体で、スライド方向の長さが前記開口部のスライド方向の長さの略１／３であり各側縁部に前記ガイド溝に設けた相互に隣接する二つの凸部または凹部に対応する二つの凹部または凸部を有する第１のスライドプレートと、スライド方向の長さが前記開口部のスライド方向の長さの略１／２であり各側縁部に前記ガイド溝に設けた凸部または凹部に一つおきに対応する二つの凹部または凸部を有する第２のスライドプレートと、が使用できるようにしたことを特徴とする請求項２又は３に記載のスイッチ保護カバー。
【請求項５】
前記スライドプレートとして、スライド方向の長さが前記第１のスライドプレートの略半分であり各側縁部のスライド方向の中央に凹部または凸部を有する第３のスライドプレートを有することを特徴とする請求項４に記載のスイッチ保護カバー。
【請求項６】
前記スライドプレートとして、その側縁部に複数の凸部または凹部を有するスライドプレートを含むことを特徴とする請求項１〜５のうちいずれか一つに記載のスイッチ保護カバー。
【請求項７】
前記スライドプレートの前面に梨地状のシボを形成したことを特徴とする請求項１〜６のうちいずれか一つに記載のスイッチ保護カバー。
【請求項８】
前記スイッチプレートに取り付けるための粘着テープを貼着する粘着テープ設置領域が形成されたことを特徴とする請求項１〜７のうちいずれか一つに記載のスイッチ保護カバー。
【発明の詳細な説明】
【技術分野】
【０００１】
本発明は、スイッチプレートの前面側を覆うスイッチ保護カバーに関する。
【背景技術】
【０００２】
従来、複数のスイッチが並べて設置されるスイッチプレートに、通常時の操作が許容されるスイッチ（以下、常時操作スイッチと記す）と、非常時等にのみ操作が許容されるスイッチ（以下、操作規制スイッチと記す）とが混在して設置される場合がある。
【０００３】
このような場合に、操作規制スイッチが通常時に誤って操作されるのは好ましくない。そこで、複数のスイッチの前面を包括的に覆うスイッチ保護カバーにおいて、常時操作スイッチのみに対応する開口部が形成されたものが、既に製品化されている（例えば特許文献１）。かかるスイッチ保護カバーによれば、常時操作スイッチについては開口部を通じての操作を可能としながら、操作規制スイッチについてはスイッチ保護カバーによって覆われるため誤操作を防止できる。
【特許文献１】特開２００５−１５８３０７号公報
【発明の開示】
【発明が解決しようとする課題】
【０００４】
ところで、このように複数のスイッチが並べて設置されるスイッチプレートでは、常時操作スイッチと操作規制スイッチの配置順序が複数ケース考えられる。例えば、上下に３個のスイッチを並べて設置可能なスイッチ設置領域を有するスイッチプレートの場合には、上段に操作規制スイッチが設置されて中段および下段に常時操作スイッチが設置されるケースや、上段および中段に操作規制スイッチが設置されて下段に常時操作スイッチが設置されるケース、上段に常時操作スイッチが設置されて中段および下段に操作規制スイッチが設置されるケースなど、種々のレイアウトが考えられる。
【０００５】
このような種々のレイアウトに対応して、従来は、それぞれ別個にスイッチ保護カバーを準備していた。このため、スイッチ保護カバーが多品種少量生産となって、製造コストの上昇が余儀なくされていた。また、設置作業を行う現場では、レイアウトに対応しないスイッチ保護カバーを誤って取り付けたり、さらに正しく対応するスイッチ保護カバーに付け替えたりといった、面倒な作業が生じるという問題もあった。
【０００６】
そこで、本発明は、常時操作スイッチと操作規制スイッチのレイアウトが異なるスイッチプレートについて共用可能なスイッチ保護カバーを得ることを目的とする。
【課題を解決するための手段】
【０００７】
請求項１の発明にあっては、複数のスイッチを並べて設置可能なスイッチ設置領域を有するスイッチプレートの前面側を覆うように取り付けられるスイッチ保護カバーにおいて、上記スイッチ設置領域に対応して一括して開口する開口部が形成されたカバー本体と、上記開口部に架設された状態でスライドできるよう上記カバー本体に支持されるとともに、当該スライド方向に沿う複数のセット位置で当該カバー本体に係止可能なスライドプレートと、を備えることを特徴とする。
【０００８】
請求項２の発明にあっては、上記カバー本体に、上記スライドプレートの相互に対向する一対の側縁部を摺動可能に受け容れる少なくとも一対のガイド溝を形成し、上記セット位置のそれぞれで上記側縁部と上記ガイド溝とを係止する係止機構を設けたことを特徴とする。
【０００９】
請求項３の発明にあっては、上記係止機構は、上記側縁部およびガイド溝のうち一方に設けた凸部と、他方に形成した凹部とを有し、上記スライドプレートに、上記側縁部の側端縁に沿う有限長のスリットを設けることで架橋部を形成し、上記凸部または凹部を上記架橋部に設けたことを特徴とする。
【００１０】
請求項４の発明にあっては、前記係止機構は、前記側縁部およびガイド溝のうち一方に設けた凸部と、他方に形成した凹部とを有し、上記ガイド溝には、上記開口部をスライド方向に６分割した領域のスライド方向の中央となる位置に、上記凸部または凹部を設け、一つの上記カバー本体で、スライド方向の長さが上記開口部のスライド方向の長さの略１／３であり各側縁部に上記ガイド溝に設けた相互に隣接する二つの凸部または凹部に対応する二つの凹部または凸部を有する第１のスライドプレートと、スライド方向の長さが上記開口部のスライド方向の長さの略１／２であり各側縁部に上記ガイド溝に設けた凸部または凹部に一つおきに対応する二つの凹部または凸部を有する第２のスライドプレートと、が使用できるようにしたことを特徴とする。
【００１１】
請求項５の発明にあっては、上記スライドプレートとして、スライド方向の長さが上記第１のスライドプレートの略半分であり各側縁部のスライド方向の中央に凹部または凸部を有する第３のスライドプレートを有することを特徴とする。
【００１２】
請求項６の発明にあっては、上記スライドプレートとして、その側縁部に複数の凸部または凹部を有するスライドプレートを含むことを特徴とする。
【００１３】
請求項７の発明にあっては、上記スライドプレートの前面に梨地状のシボを形成したことを特徴とする。
【００１４】
請求項８の発明にあっては、上記スイッチプレートに取り付けるための粘着テープを貼着する粘着テープ設置領域が形成されたことを特徴とする。
【発明の効果】
【００１５】
請求項１の発明によれば、スライドプレートを任意のセット位置でカバー本体に係止できるため、常時操作スイッチおよび操作規制スイッチのレイアウトが異なる場合にも、セット位置を変えることで対応することができる。すなわち、複数のレイアウトについてスイッチ保護カバーを共用化できるため、製造コストを低減することができる上、設置作業の手間を減らすことができる。
【００１６】
請求項２の発明によれば、ガイド溝を設けた分、スライドプレートの位置をより円滑に変更しやすくなる上、ガイド溝およびスライドプレートの側縁部に設けた凸部と凹部とで係止させることで、係止機構を隠すことが可能となり、美観が損なわれるのを抑制することができる。
【００１７】
請求項３の発明によれば、スリットを設けたことで可撓性の高められた架橋部に凸部または凹部を設けたため、凸部あるいは凹部を凸没させやすくなる。このため、スライドプレートの設置場所の変更作業をより容易に行うことができる。
【００１８】
請求項４の発明によれば、縦列配置した三つのスイッチが収まるスイッチ設置領域と、縦列配置した二つのスイッチが収まるスイッチ設置領域との面積がほぼ等しいスイッチプレートについて、カバー本体を共用化できるようになる。
【００１９】
請求項５の発明によれば、第１のスライドプレートと第３のスライドプレートを隣接配置することで、第２のスライドプレートと同じ大きさの領域を被覆することができる。よって、縦列配置した三つのスイッチが収まるスイッチ設置領域と、縦列配置した二つのスイッチが収まるスイッチ設置領域との面積がほぼ等しいスイッチプレートについて、カバー本体を共用化でき、スライドプレートを変更するだけで対応可能となる。
【００２０】
請求項６の発明によれば、側縁部に複数の凸部または凹部を設けることで、側縁部に設けた凸部または凹部が一つ壊れたとしても他で係止機能を確保することができ、係止機能の信頼性を高めることができる。
【００２１】
請求項７の発明によれば、梨地状のシボを付けた分、スライドプレートに、指紋などの手指の跡が残りにくく、かつ目立ちにくくなって、美観が損なわれるのを抑制できる。
【００２２】
請求項８の発明によれば、スイッチ保護カバーをスイッチプレートに粘着テープを用いて取り付けることができるため、スイッチプレート側にスイッチ保護カバーを取り付けるための特別な構造が不要となって、スイッチプレートの製造コストの上昇を抑えるとともに、スイッチ保護カバーの汎用性を高めることができる。
【発明を実施するための最良の形態】
【００２３】
以下、本発明の実施形態について図面を参照しながら詳細に説明する。なお、以下の各実施形態にかかるスイッチ保護カバーは、同様の構成要素を有している。よって、以下では、それら同様の構成については共通の符号を付与するとともに、重複する説明を一部省略する。
【００２４】
（第１実施形態）図１〜図４は、第１実施形態にかかるスイッチ保護カバーを示している。このうち、図１は、スイッチ保護カバーの斜視図である。
【００２５】
スイッチプレートＰｓは、縦長の略矩形状に形成されて図示省略した壁等の造営面に取り付けられる。スイッチプレートＰｓの前面中央部には複数（本実施形態では３個）のスイッチＳ１，Ｓ２，Ｓ３を上下方向に並設してある。これらスイッチＳ１〜Ｓ３を設置する領域全体がスイッチ設置領域Ｓとなる。
【００２６】
スイッチＳ１〜Ｓ３は、相互に隣接させるかあるいは等間隔をもって上下方向に縦列配列してあり、それらスイッチＳ１〜Ｓ３のうち、１個もしくは２個は、操作が規制される特定のスイッチ（操作規制スイッチ）として設定してある。操作規制スイッチ以外のスイッチは、通常時の操作が許容される常時操作スイッチとして設定される。
【００２７】
そして、本実施形態では、これらスイッチＳ１〜Ｓ３の前面側がスイッチ保護カバー１で覆われている。
【００２８】
スイッチ保護カバー１は、図１に示すように、裏面（図中向こう側）にスイッチプレートＰｓに装着する装着部２が設けられたボディ３と、このボディ３の前面（図中手前側）にヒンジ部４を介して開閉可能に取り付けられたカバー本体５と、を備えている。
【００２９】
また、ヒンジ部４は、ボディ３の上端部から前面側に突出する一対の支持突起４１を有し、それら支持突起４１にカバー本体５の上端部に形成した一対の切欠部４２が嵌合している。そして、それら支持突起４１と切欠部４２とが図外の回転軸を介して回動可能に結合されている。
【００３０】
ここで、カバー本体５には、スイッチ設置領域Ｓに対応して一括して開口する開口部５１が形成されている。なお、開口部５１は、スイッチ設置領域Ｓの面積以上とすることは必須ではなく、後述する各開口状態でいずれかのスイッチＳ１〜Ｓ３の操作が可能となる面積であれば当該スイッチ設置領域Ｓの面積より小さくてもよい。
【００３１】
図２は、スイッチ保護カバーの要部を示す分解斜視図、図３は、スライドプレートを手指等で押圧した状態を示す斜視図である。
【００３２】
開口部５１には、スイッチＳ１〜Ｓ３の並設方向（上下方向）に沿った対向辺部５１ａ，５１ｂに、それらスイッチの数に応じたガイド溝６、つまり、本実施形態では３条のガイド溝６１，６２，６３が形成されている。
【００３３】
そして、各ガイド溝６１，６２，６３には、スイッチＳ１〜Ｓ３を個々に覆うスライドプレート７、すなわち、本実施形態では３枚のスライドプレート７１，７２，７３の相互に対向する一対の側縁部７ａ，７ａが、摺動可能に挿入されている。ガイド溝６１，６２，６３の延設方向は、スライドプレート７１，７２，７３のスライド方向に相当する。
【００３４】
これらスライドプレート７１，７２，７３は、本実施形態ではいずれも同一形状で、略矩形の薄板状に形成されており、図３中に破線で示すようにスライドプレート７１，７２，７３の中央部を手指等で押すなどして撓ませることで、両側縁間の距離を縮めて、各ガイド溝６１，６２，６３に着脱できるようになっている。この押圧操作は、カバー本体５の表側（前面側）から行ってもよいし、カバー本体５を開けて裏側（後面側）から行ってもよい。
【００３５】
そして、図２に示すように、スライドプレート７１，７２，７３の側縁部７ａ，７ａには凸部８１が設けられ、ガイド溝６１，６２，６３には凹部８２が設けられている。本実施形態では、これら凸部８１と凹部８２によって、各スライドプレート７１，７２，７３をスイッチＳ１〜Ｓ３に対応する各セット位置で係脱可能に固定する係止機構８が構成されている。
【００３６】
凸部８１は、誤って手が少々触れた程度ではスライドプレート７が移動しない程度の係止力を発揮する小突起として形成され、凹部８２はその凸部８１を嵌合できる小孔として形成される。
【００３７】
そして各スライドプレート７１，７２，７３のセット位置を変更する際には、スライドプレート７１，７２，７３を手指等で押圧して撓ませることで係止機構８における係止を解除し、その状態のまま、すなわち手指等による押圧によって撓んだ状態のまま、ガイド溝６１，６２，６３の延設方向（すなわちスライド方向）にスライドさせる。
【００３８】
図４は、カバー本体の開口部の開口態様を（ａ）〜（ｇ）にそれぞれ示す斜視図である。これら（ａ）〜（ｇ）には、各スライドプレート７１，７２，７３のセット位置が示されている。
【００３９】
この図４に示すように、本実施形態では、ガイド溝６１，６２，６３にスライドプレート７１，７２，７３を摺動可能に装着したので、それぞれのスライドプレート７１，７２，７３を別個に任意の位置に移動させることが可能となる。このため、カバー本体５の開口部５１において、図４（ａ）〜（ｇ）に示す各種の開口態様を設定することができる。
【００４０】
図４の（ａ）は、開口部５１の全閉状態である。そして、（ｂ）は、上段のスイッチＳ１（図１参照）に対応する部分を開口した状態、（ｃ）は、中段のスイッチＳ２（図１参照）に対応する部分を開口した状態、（ｄ）は、下段のスイッチＳ３（図１参照）に対応する部分を開口した状態である。また、（ｅ）は、中段・下段のスイッチＳ２，Ｓ３に対応する部分を開口した状態、（ｆ）は、上段・中段のスイッチＳ１，Ｓ２に対応する部分を開口した状態、（ｇ）は、上段・下段のスイッチＳ１，Ｓ３に対応する部分を開口した状態である。
【００４１】
したがって、図４の（ｂ）では、中段・下段のスイッチＳ２，Ｓ３をスライドプレート７１，７２，７３によって覆った状態となり、それら中段・下段のスイッチＳ２，Ｓ３が操作規制スイッチとして設定される。以下同様にして、（ｃ）では上段・下段のスイッチＳ１，Ｓ３、（ｄ）では上段・中段のスイッチＳ１，Ｓ２、（ｅ）では上段のスイッチＳ１、（ｆ）では下段のスイッチＳ３、また、（ｇ）では中段のスイッチＳ２が、それぞれ操作規制スイッチとして設定される。
【００４２】
なお、非常時等において操作規制スイッチを操作する場合は、カバー本体５をヒンジ部４を中心として開くことで、操作することができる。
【００４３】
以上の構成により本実施形態のスイッチ保護カバー１によれば、スライドプレート７１，７２，７３を、複数設定されたセット位置のうち任意のセット位置でカバー本体５に係止できるため、常時操作スイッチおよび操作規制スイッチのレイアウトが異なる場合にも、スライドプレート７１，７２，７３のセット位置を変えることで対応することができる。すなわち、スイッチの複数のレイアウトについてスイッチ保護カバー１を共用化できるため、製造コストを低減することができる上、設置作業の手間を減らすことができる。
【００４４】
また、本実施形態では、ガイド溝６１，６２，６３を設けた分、スライドプレート７１，７２，７３の位置をより円滑に変更しやすくなる上、ガイド溝６１，６２，６３およびスライドプレート７１の側縁部に設けた凸部８１と凹部８２とで係止させることで、係止機構を隠すことが可能となり、美観が損なわれるのを抑制することができる。
【００４５】
（第２実施形態）図５，図６は、第２実施形態にかかるスイッチ保護カバーを示している。図５は、スイッチ保護カバーの斜視図、図６は、カバー本体の開口部の開口態様を（ａ）〜（ｃ）にそれぞれ示す斜視図である。
【００４６】
本実施形態のスイッチ保護カバー１Ａを装着するスイッチプレートＰｓのスイッチ設置領域Ｓには、図５に示すように、２個のスイッチＳ４，Ｓ５が上下方向に縦列配置されている。これらスイッチＳ４，Ｓ５のうち一方は操作規制スイッチで、他方は常時操作スイッチである。
【００４７】
スイッチ保護カバー１Ａは、上記第１実施形態と同様に、装着部２が設けられたボディ３と、このボディ３の前面にヒンジ部４を介して開閉可能に取り付けられたカバー本体５Ａと、を備えている。
【００４８】
そして、カバー本体５Ａには、スイッチ設置領域Ｓに対応して一括して開口する開口部５１が形成されている。この開口部５１には、図６（ｂ），（ｃ）に示すように、対向辺部５１ａ，５１ｂに２条のガイド溝６４，６５を形成してある。そして、それらガイド溝６４，６５には、スイッチＳ４，Ｓ５を個々に覆う２枚のスライドプレート７４，７５の相互に対向する一対の側縁部７ａ，７ａが、摺動可能に挿入されている。
【００４９】
また、図示省略したが本実施形態でも、上記第１実施形態と同様の係止機構が設けられており、これにより、各スライドプレート７４，７５が、スイッチＳ４，Ｓ５に対応する各セット位置で係脱可能に固定される。よって、本実施形態にあっても、カバー本体５Ａの開口部５１において、図６（ａ）〜（ｃ）に示す各種開口態様を設定することができる。
【００５０】
図６の（ａ）は、開口部５１を全閉状態である。そして、（ｂ）は、上段のスイッチＳ４（図５参照）に対応する部分を開口した状態、（ｃ）は、下段のスイッチＳ５（図１参照）に対応する部分を開口した状態である。したがって、図６中、（ｂ）ではスイッチＳ５をスライドプレート７４，７５によって覆った状態となり、そのスイッチＳ５が操作規制スイッチとして設定される。また、（ｃ）ではスイッチＳ４が操作規制スイッチとなる。
【００５１】
そして、非常時等において操作規制スイッチを操作する場合は、カバー本体５Ａをヒンジ部４を中心として開くことで、操作することができる。
【００５２】
以上の構成により、本実施形態のスイッチ保護カバー１Ａでも、上記第１実施形態と同様の効果を得ることができる。
【００５３】
（第３実施形態）図７，図８は、第３実施形態にかかるスイッチ保護カバーのスライドプレートを示している。図７は、スライドプレートの斜視図、図８は、図７中Ａ部の拡大正面図である。
【００５４】
本実施形態にかかるスライドプレート７Ａは、第１実施形態のスライドプレート７１，７２，７３および第２実施形態のスライドプレート７４，７５に替えて使用することができる。
【００５５】
ここで、本実施形態では、図７および図８に示すように、スライドプレート７Ａの側縁部７ａの側端縁７ｓに沿う有限長Ｌかつ幅δのスリットを設けることで有限長Ｌかつ幅ｄの架橋部７ｂを形成し、この架橋部７ｂに凸部８１が設けられている。
【００５６】
かかる構成では、スライドプレート７Ａがセット位置から移動する際には、凸部８１がガイド溝６の底部から押圧され、図８中破線に示すように架橋部７ｂが内側に弾性変形する。そして、凸部８１が再度凹部８２に嵌合する際には、架橋部７ｂの弾発力によって凸部８１が凹部８２に押し込まれ、凸部８１と凹部８２とが係止した状態となる。
【００５７】
したがって、本実施形態にかかるスライドプレート７Ａによれば、スリット８３を設けたことで可撓性の高められた架橋部７ｂに凸部８１を設けたため、凸部８１を凸没させやすくなる。このため、スライドプレート７Ａの設置場所の変更作業をより容易に行うことができる。
【００５８】
（第４実施形態）図９は、第４実施形態にかかるスライドプレートの斜視図である。
【００５９】
本実施形態にかかるスライドプレート７Ｂは、第１実施形態のスライドプレート７１，７２，７３および第２実施形態のスライドプレート７４，７５に替えて使用することができる。
【００６０】
ここで、本実施形態にかかるスライドプレート７Ｂは、側縁部７ａ毎に複数（本実施形態では２個）の凸部８１を有している。凸部８１は、各側縁部７ａに、所定間隔Ｍをもって、上下対称位置に突設してある。また、本実施形態でも、各凸部８１は、上記第３実施形態と同様に、スリット８３を設けることで形成された架橋部７ｂに設けられている。
【００６１】
このため、図示省略したが、スライドプレート７Ｂの側縁部７ａを受け容れるガイド溝には、スライドプレート７Ｂが各セット位置にあるときに、これら２つの凸部８１に対応する２つの凹部８２（図２参照）が形成される。
【００６２】
したがって、本実施形態によれば、側縁部７ａに複数の凸部８１を設けることで、側縁部７ａに設けた凸部８１が一つ壊れたとしても他で係止機能を確保することができ、係止機構８の係止機能の信頼性を高めることができる。
【００６３】
（第５実施形態）図１０〜図１２は、第５実施形態にかかるスイッチ保護カバーを示している。図１０は、スイッチ保護カバーの斜視図、図１１は、カバー本体の開口部の開口態様を（ａ），（ｂ）にそれぞれ示す斜視図である。
【００６４】
スイッチ保護カバー１Ｂは、上記第１実施形態と同様に、装着部２が設けられたボディ３と、このボディ３の前面にヒンジ部４を介して開閉可能に取り付けられたカバー本体５と、を備えている。
【００６５】
ただし、本実施形態では、スライド方向の長さがスライドプレート７１，７３（第１のスライドプレート）の半分となるスライドプレート（第３のスライドプレート）７２Ａ，７２Ｂを設けてある。なお、詳細には図示しないが、これらスライドプレート７２Ａ，７２Ｂにも、上記第４実施形態にかかるスライドプレート７Ａと同様の凸部８１が設けられている。
【００６６】
そして、これらスライドプレート７１，７３，７２Ａ，７２Ｂを適宜に組み合わせることにより、図１１（ａ）に示すようにカバー本体５の開口部５１の上半分を開口させた状態と、図１１（ｂ）に示すように開口部５１の下半分を開口させた状態とを設定できる。つまり、本実施形態によれば、スライドプレート７１，７３（第１のスライドプレート）と、スライド方向の長さが当該スライドプレート７１，７３の半分となるスライドプレート（第３のスライドプレート）７２Ａ，７２Ｂを用いることで、スイッチ設置領域Ｓに上中下３段のスイッチＳ１〜Ｓ３が配置される場合と、上下２段のスイッチＳ４，Ｓ５が配置される場合との両方に対応することができる。すなわち、本実施形態によれば、スライドプレート７の種類を減らすことができて製造コスト低減に資するとともに、交換の手間を省くことができるという効果が得られる。
【００６７】
なお、図１１はスライドプレートの配置の一例を示したものであって、スライドプレートを取り付ける位置や順序が、図１１の例に限定されないことはもちろんである。また、図１１に示すように、不要なスライドプレートを取外すことで、スライドプレート同士の不必要な重なりを無くして、見栄えを良くすることができる。
【００６８】
そして、図１２はスイッチ保護カバーにおけるスライドプレートの使用形態を示す説明図である。
【００６９】
本実施形態にかかるスイッチ保護カバー１Ｂでは、上記第１実施形態で用いたスライドプレート７１，７２，７３、上記第２実施形態で用いたスライドプレート７４，７５、および、上述したハーフサイズのスライドプレート７２Ａ，７２Ｂの全てを使用することができる。
【００７０】
ここで、図１２の（ＩＩ）に示すように、スライドプレート７１，７２，７３のスライド方向の長さは、開口部５１のスライド方向の長さの略１／３となっている。すなわち、スライドプレート７１，７２，７３は、本発明の第１のスライドプレートに相当する。
【００７１】
また、図１２の（Ｉ）に示すように、スライドプレート７４，７５のスライド方向の長さは、開口部５１のスライド方向の長さの略１／２となっている。すなわち、スライドプレート７４，７５は、本発明の第２のスライドプレートに相当する。
【００７２】
そして、図１２の（ＩＩＩ）に示すように、スライドプレート７２Ａ，７２Ｂのスライド方向の長さは、上述したように、スライドプレート７１，７２，７３（第１のスライドプレート）のスライド方向の長さの略１／３となっている。すなわち、スライドプレート７２Ａ，７２Ｂは、本発明の第３のスライドプレートに相当する。
【００７３】
ここで、本実施形態にかかるスイッチ保護カバー１Ｂのカバー本体５Ｂでは、各ガイド溝６１，６２，６３に、開口部５１をスライド方向に６分割した領域Ａ（長さ２ａ）のスライド方向の中央となる位置Ｂに、凹部８２を設けてある。これら凹部８２の間隔は２ａとなる。
【００７４】
よって、図１２の（Ｉ）に示すように、スライドプレート（第２のスライドプレート）７４，７５については、各側縁部に、ガイド溝６に設けた凹部８２の一つおきに対応する二つの凸部８１（間隔４ａ）を設ける。また、図１２の（ＩＩ）に示すように、スライドプレート（第２のスライドプレート）７４，７５については、各側縁部に、ガイド溝６に設けた相互に隣接する二つの凹部８２に対応する二つの凸部８１（間隔２ａ）を設ける。さらに、図１２の（ＩＩＩ）に示すように、スライドプレート（第３のスライドプレート）７２Ａ，７２Ｂについては、各側縁部のスライド方向の中央に凸部８１を設ける。こうすることで、これら全てのスライドプレート７１，７２，７２Ａ，７２Ｂ，７３，７４，７５を、カバー本体５Ｂで使用できるようになり、多様な組み合わせについて、カバー本体５Ｂを共用することができる。
【００７５】
なお、いずれのスライドプレート７１，７２，７２Ａ，７２Ｂ，７３，７４，７５にあっても、上下両端から最も近い凸部８１までの間隔はａとなっている。
【００７６】
このように、本実施形態によれば、縦列配置した三つのスイッチＳ１，Ｓ２，Ｓ３が収まるスイッチ設置領域Ｓと、縦列配置した二つのスイッチＳ４，Ｓ５が収まるスイッチ設置領域Ｓとの面積がほぼ等しいスイッチプレートＰｓについては、カバー本体５Ｂを共用化でき、スライドプレート７１，７２，７２Ａ，７２Ｂ，７３，７４，７５を変更するだけで対応可能となる。これにより、カバー本体５Ｂの汎用性が高まり、さらなる製造コスト低減に資する。また、カバー本体５Ｂの仕様が減る分、その設置作業をより容易に行うことができる。
【００７７】
（第６実施形態）図１３は、本実施形態にかかるスライドプレートの正面図である。本実施形態では、スライドプレート７Ｃの前面（表面）７ｆに梨地状のシボ９を形成してある。このため、スライドプレート７Ｃを移動させるために、手指等で前面７ｆに触れた場合でも、指紋などの手指の跡が残りにくく、かつ目立ちにくくなって、美観が損なわれるのを抑制することができる。
【００７８】
なお、このスライドプレート７Ｃでは、裏面にネームＮが印刷されており、シボ９は、当該ネームＮが判別できる程度のスペックとしてある。また、裏面を平坦面としておくことで、印刷しやすくなるという利点もある。
【００７９】
また、図１４は、本実施形態の変形例にかかるスライドプレートの正面図である。この変形例では、スライドプレート７Ｃ’の中央部の所定エリアＰは、シボ９を付けることなく透明なクリア面としてある。このため、前面７ｆまたは裏面に印刷したネームＮをより鮮明に判読できるようになる。
【００８０】
（第７実施形態）図１５は、本実施形態にかかるスイッチ保護カバーの背面斜視図である。
【００８１】
本実施形態にかかるスイッチ保護カバー１Ｄでは、ボディ３Ｄの裏面３ａに、スイッチプレートＰｓに取り付けるための粘着テープ（例えば両面テープ）を貼着する平坦面として、粘着テープ設置領域Ｔが設定されている。具体的には、開口部５１の幅方向両外側に、所定幅で細長い帯状の平面領域が確保される。
【００８２】
こうすることで、スイッチ保護カバー１ＤをスイッチプレートＰｓの前面に粘着テープ（図示せず）を用いて貼着することができるため、スイッチプレートＰｓ側にスイッチ保護カバー１Ｄを取り付けるための特別な構造が不要となって、スイッチプレートＰｓの製造コストの上昇を抑えるとともに、スイッチ保護カバー１Ｄの汎用性を高めることができる。
【００８３】
以上、本発明の好適な実施形態について説明したが、本発明は上記各実施形態に限定されるものではなく、種々の変形が可能である。
【００８４】
例えば、ガイド溝内に凸部を形成して、スライドプレートの側縁部に凹部を形成し、これら凸部と凹部とで係止機構を構成するようにしてもよい。架橋部に凹部を設けることももちろん可能である。
【００８５】
また、スイッチプレートにおけるスイッチの数が４個以上となる場合に対しても本発明を適用可能であることはもちろんである。
【図面の簡単な説明】
【００８６】
【図１】本発明の第１実施形態にかかるスイッチ保護カバーの斜視図である。
【図２】本発明の第１実施形態にかかるスイッチ保護カバーの要部を示す分解斜視図である。
【図３】本発明の第１実施形態にかかるスライドプレートを手指等で押圧した状態を示す斜視図である。
【図４】本発明の第１実施形態にかかるカバー本体の開口部の開口態様を（ａ）〜（ｇ）にそれぞれ示す斜視図である。
【図５】本発明の第２実施形態にかかるスイッチ保護カバーの斜視図である。
【図６】本発明の第２実施形態にかかるカバー本体の開口部の開口態様を（ａ）〜（ｃ）にそれぞれ示す斜視図である。
【図７】本発明の第３実施形態にかかるスライドプレートの斜視図である。
【図８】図７中Ａ部の拡大正面図である。
【図９】本発明の第４実施形態にかかるスライドプレートの斜視図である。
【図１０】本発明の第５実施形態にかかるスイッチ保護カバーの斜視図である。
【図１１】本発明の第５実施形態にかかるカバー本体の開口部の開口態様を（ａ），（ｂ）にそれぞれ示す斜視図である。
【図１２】本発明の第５実施形態にかかるスイッチ保護カバーにおけるスライドプレートの使用形態を示す説明図である。
【図１３】本発明の第６実施形態にかかるスライドプレートの正面図である。
【図１４】本発明の第６実施形態の変形例にかかるスライドプレートの正面図である。
【図１５】本発明の第７実施形態にかかるスイッチ保護カバーの背面斜視図である。
【００８７】
図である。
【符号の説明】
【００８８】
１，１Ａ，１Ｂ，１Ｄ  スイッチ保護カバー
５，５Ａ，５Ｂ  カバー本体
５１  開口部
６，６１，６２，６３  ガイド溝
７，７Ａ，７Ｂ，７Ｃ，７Ｃ’  スライドプレート
７ａ  側縁部
７ｂ  架橋部
７ｓ  側端縁
７１，７２，７３  スライドプレート（第１のスライドプレート）
７４，７５  スライドプレート（第２のスライドプレート）
７２Ａ，７２Ｂ  スライドプレート（第３のスライドプレート）
８  係止機構
８１  凸部
８２  凹部
８３  スリット
９  シボ
Ｐｓ  スイッチプレート
Ｓ  スイッチ設置領域
Ｓ１〜Ｓ５  スイッチ
Ｔ  粘着テープ設置領域
【図１】
0004943952.tif 000002
【図２】
0004943952.tif 000003
【図３】
0004943952.tif 000004
【図４】
0004943952.tif 000005
【図５】
0004943952.tif 000006
【図６】
0004943952.tif 000007
【図７】
0004943952.tif 000008
【図８】
0004943952.tif 000009
【図９】
0004943952.tif 000010
【図１０】
0004943952.tif 000011
【図１１】
0004943952.tif 000012
【図１２】
0004943952.tif 000013
【図１３】
0004943952.tif 000014
【図１４】
0004943952.tif 000015
【図１５】
0004943952.tif 000016